(57)【特許請求の範囲】
【請求項１】
固有の識別情報が記載されたシート本体と、前記識別情報を隠蔽可能に前記シート本体上に剥離可能に接着固定された開封部と、を備え、
前記開封部には、前記シート本体から剥離する方向を横切る方向に前記開封部の塑性変形を促す線状部が形成されていることを特徴とするサービス提供用シート。
【請求項２】
前記塑性変形を伴う線状部は、前記シート本体から剥離する方向に対して略直交するように形成されていることを特徴とする請求項１に記載のサービス提供用シート。
【請求項３】
前記塑性変形を促す線状部は、前記開封部に形成された切込であることを特徴とする請求項１または２に記載のサービス提供用シート。
【発明の詳細な説明】
【技術分野】
【０００１】
本発明は、識別情報が記載されたサービス提供用シートに関する。
【背景技術】
【０００２】
近年、コンピュータネットワーク上のサービスを受ける際に、その代金の決済にプリペイドカードを用いることができるシステムが実用化されている。このようなシステムにおいては、プリペイドカードには識別番号及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードの購入者は、プリペイドカードに表示された識別情報を用いて決済を行うことになる。
【０００３】
従来のプリペイドカードは、第１のシート部と第２のシート部とを有し、これらが折り畳まれることで、第２のシート部によって、第１のシート部に表示された第１のコード（識別情報）が視認不可能となるとともに、第２のコード（ＰＯＳコード）が視認可能となっており、第２のシート部が開封されて初めて第１のコードが視認できるようになっている（例えば、特許文献１参照）。
【先行技術文献】
【特許文献】
【０００４】
【特許文献１】特開２０１４−２３７３１０号公報（第７頁、第１図）
【発明の概要】
【発明が解決しようとする課題】
【０００５】
上述したようなプリペイドカードを用いたシステムにおいては、例えば不正使用者が店頭において未購入のプリペイドカードの第２のシート部を開封し、第１のコード（識別情報）を控えた上で、第２のシート部を再び折り畳んだ状態で陳列させ、その後、他人が当該プリペイドカードを購入し、第２のコード（ＰＯＳコード）がＰＯＳレジにて読み取られるのを待って、控えておいた識別情報を用いてサービスの提供を受けるというような不正使用が問題となる。
【０００６】
本発明は、このような問題点に着目してなされたもので、不正使用を防止できるサービス提供用シートを提供することを目的とする。
【課題を解決するための手段】
【０００７】
前記課題を解決するために、本発明のサービス提供用シートは、
固有の識別情報が記載されたシート本体と、前記識別情報を隠蔽可能に前記シート本体上に剥離可能に接着固定された開封部と、を備え、
前記開封部には、前記シート本体から剥離する方向を横切る方向に前記開封部の塑性変形を促す線状部が形成されていることを特徴としている。
この特徴によれば、開封部をシート本体から剥離する際に、開封部の湾曲に伴い開封部における線状部の近傍に弾性回復しない塑性変形した部分が形成されるため、サービス提供用シートの購入者あるいは販売店の店員は塑性変形した部分の有無を基準として不正使用の疑いのあるサービス提供用シートを発見でき、不正使用を未然に防ぐことができる。
【０００８】
前記塑性変形を伴う線状部は、前記シート本体から剥離する方向に対して略直交するように形成されていることを特徴としている。
この特徴によれば、開封部をシート本体から剥離する際に塑性変形した部分が線状に形成され、その有無を確認し易い。
【００１１】
前記塑性変形を促す線状部は、前記開封部に形成された切込であることを特徴としている。
この特徴によれば、切込を形成することで開封部が弱くなるため、剥離する際に開封部の湾曲に伴い塑性変形した部分が形成される。
【図面の簡単な説明】
【００１２】
【図１】実施例におけるサービス提供用シートを示す図である。
【図２】サービス提供用シートを示す分解斜視図である。
【図３】開封部を剥離する様子を示す斜視図である。
【図４】開封部を示す部分拡大正面図である。
【図５】開封部を剥離する様子を示す部分拡大正面図である。
【図６】開封部に塑性変形した部分が形成された状態を示すイメージ図である。
【図７】開封部が折曲した状態を示す下面図である。
【図８】サービス提供用シートの変形例を示す図である。
【図９】スリット部の形状の変形例を示す図である。
【発明を実施するための形態】
【００１３】
本発明に係るサービス提供用シートを実施するための形態を実施例に基づいて以下に説明する。
【実施例】
【００１４】
実施例に係るサービス提供用シートにつき、図１から図９を参照して説明する。
図１の符号１は、本発明の適用されたサービス提供用シートである。図１（ａ）に示されるのはサービス提供用シート１の裏面であり、ＰＩＮコード４とバーコード５とが記載されている。また、図１（ｂ）に示されるのはサービス提供用シート１の表面であり、このサービス提供用シート１のＰＩＮコード４とバーコード５により提供されるサービスの名称や金額等の情報が記載されている。サービス提供用シート１は、図２に示されるようにシート本体２と、シート本体２の裏面２ａに重合して貼り付けられた被覆シート３とから主に構成されている。
【００１５】
図２に示されるように、シート本体２は、その表面に識別情報であるＰＩＮコード４と、ＰＯＳコードであるバーコード５とが記載されている。これらＰＩＮコード４とバーコード５とは、互いに対応づけられたものとなっている。ＰＩＮコード４は数字や文字の組み合わせであり、シート本体２の幅方向に記載されており、バーコード５はＰＩＮコード４と並列してシート本体２の幅方向に記載されている。
【００１６】
図１及び図２に示されるように、被覆シート３は、シート本体２と重合した際にＰＩＮコード４の上に位置する部分がミシン目６により区画されて開封部７が形成されている。ミシン目６はＰＩＮコード４の外側を囲むような略矩形状に形成されており、その長手方向一方側（図１では画面左側）の辺６ａと、当該辺６ａの両端からそれぞれ連続するミシン目６の角部６ｂ，６ｂとが予め被覆シート本体３ａから切り離されて開封部７の剥離開始端部７０が形成されている。また、長手方向他方側の辺６ｃ及び連接された角部６ｄ，６ｄも同様に予め被覆シート本体３ａから切り離されて開封部７の剥離終端部７１が形成されている。
【００１７】
被覆シート３には、シート本体２と重合した際にバーコード５の上に位置する部分に切抜部８が形成されており、この切抜部８からシート本体２のバーコード５が確認できるようになっている。
【００１８】
開封部７は、図３に示されるように、ミシン目６に沿って被覆シート本体３ａから切り離すことができるようになっており、開封部７が剥離されて形成された開口部９からシート本体２のＰＩＮコード４を確認できるようになっている。
【００１９】
また、開封部７は、塑性変形しやすい紙素材で形成されるとともに、開封部７を構成する素地の色と、開封部７の表面に塗装される塗装色とは、互いの色差が大きくなるような色となっている。尚、本実施例では、開口部９の縁部にも開封部７と同じ塗装が施されている。
【００２０】
図４に示されるように、ミシン目６は、所定間隔おきに所定の長さで形成されてミシン目６の上下辺を構成する線状切込１１，１１，…と、隣接する線状切込１１，１１同士の間に形成される山型の山型切込１２，１２，…と、を備えている。山型切込１２，１２，…は、山型の頂点１２ａが線状切込１１の長手方向における剥離終端部７１側と連接されている。
【００２１】
開封部７は、シート本体２から剥離される方向に、塑性変形を促す線状部であるスリット部１３，１３，…がそれぞれ離間して複数箇所形成されている。スリット部１３は、開封部７の幅方向略中央部に、開封部７の剥離方向と直交する方向に開封部７を切り抜いて線状に形成されている。尚、スリット部１３の長手方向両端部１３ａ，１３ａから線状切込１１，１１，…までの幅方向の距離は５ｍｍとなっており、この線状切込１１から長手方向両端部１３ａまでの幅方向の距離と、スリット部１３の長手寸法と、長手方向両端部１３ａから線状切込１１までの幅方向の距離と、の寸法比が１対２対１となっていることが好ましいが、必ずしもこの寸法比となるものに限られない。
【００２２】
また、スリット部１３は、当該スリット部１３の長手方向両端部１３ａ，１３ａから直線状に延長した仮想線αが線状切込１１，１１における開封部７の剥離終端部７１側の端部１１ａ，１１ａと交わるように、スリット部１３の開封部７上における位置が設定されている。更に、スリット部１３の長手方向両端部１３ａ，１３ａから直線状に延長した仮想線αは、開封部７の剥離方向に隣接する山型切込１２，１２を構成する幅方向内側の辺１２ｂ，１２ｂの終端近傍に位置している。
【００２３】
利用者がサービス提供用シート１を購入する際、購入する店舗に設置された端末によりバーコード５が読み取られる。尚、この時点では、ＰＩＮコード４は開封部７が閉じられて視認不可能となっている。
【００２４】
続いて、実際に開封部７を剥離させ、ＰＩＮコード４を露出させる際の態様を図３から図５を用いて説明する。尚、ここでは、敢えてサービス提供用シート１の購入者以外（不正使用者）がＰＩＮコード４を盗み見ようとした際を例に説明する。不正使用者は、ＰＩＮコード４を盗み見るために開封部７を剥離させた後、遠目では開封部７が剥離されたことが判別できないように丁寧に開封部７を戻すというような作業を行い、その後に不正にサービスの提供を受けようとするものと想定する。
【００２５】
図４に示されるように、開封部７は、線状切込１１と隣接する山型切込１２との間及び剥離開始端部７０を構成する角部６ｂの終端と隣接する山型切込１２との間、線状切込１１と隣接する剥離終端部７１を構成する角部６ｄの終端との間には、余白部２０が向けられており、開封部７の剥離開始端部７０の中央部を掴み、引き上げるようにすることで余白部２０が破断され、剥離できるようになっている（図３参照）。
【００２６】
余白部２０が破断される際には、山型切込１２の各辺１２ｂ，１２ｃに影響されて、破断線が山型切込１２の少なくともいずれか一方の辺と交わる。そのため、図５に示されるように、開封部７の一部が被覆シート本体３ａ側に残存したり、反対に開封部７側に被覆シート本体３ａの一部とともに剥がれたりしてしまい、破断線が目立ちやすい。また、前述したように、開封部７を構成する素地の色と、開封部７の表面に塗装される塗装色とは、互いの色差が大きくなっているため、破断線の断面が目立ちやすくなっている。
【００２７】
開封部７は、剥離方向の所定位置に前述したスリット部１３が複数設けられていることから、当該スリット部１３の長手方向両端部１３ａ，１３ａ近傍が折曲し易くなっている。加えて、余白部２０が破断される際には当然、余白部２０に力が集中ことになるが、線状切込１１の剥離終端部７１側の端部とスリット部１３とが開封部７の剥離方向に略同一となっているため、スリット部１３及びその長手方向両端部１３ａ，１３ａ近傍に剥離時の力の掛かり易く、折曲し易くなっている。
【００２８】
また、図６に示されるように、開封部７は、素地と表面塗装との色差が大きいため、折れ曲がった部分の表面塗装が崩れて素地が露出し、折れ曲がった部分が目立ちやすいばかりか、開封部７は塑性変形しやすい紙素材であるため、折れ曲がった部分が回復せず、時間経過後でも折れ曲がりの発生を視認し易い。
【００２９】
また、図６に示されるように、スリット部１３は、剥離方向に隣接する山型切込１２の内側の辺１２ｂの終端より開封部７の剥離開始端部７０側に位置しているため、スリット部１３の長手方向両端部１３ａ，１３ａと山型切込の内側辺の終端とを結ぶ折れ曲がり線Ｆ，Ｆが斜めに発生することになる。
【００３０】
そのため、開封部７の剥離に伴い、斜めの折れ曲がり線Ｆ，Ｆに引っ張られる形で開封部７の幅方向端部が立ち上がり、開封部７が長手方向内側に巻き込まれる形に変形することになる。このように、折れ曲がり線Ｆ，Ｆが斜めであるため、開封部７が平板上に戻ろうとする力が開封部７の幅方向の中央（スリット部１３）と折れ曲がり線Ｆ，Ｆ付近とに不均一となるため、開封部７の変形状態が維持されやすい。そのため、外力によって無理に変形を元に戻そうとすると、図７に示されるように、スリット部１３及び折れ曲がり線Ｆ，Ｆ近傍を中心に開封部７が山折り谷折りに変形された立体的な形状となり、目立ち易い。
【００３１】
このように、一度でも開封部７を剥離させると、その剥離させた形跡が視認し易い状態で残存することになるため、不正使用者の後にサービス提供用シート１を購入しようとした購入者や販売店の店員が不正使用の疑いのあるサービス提供用シート１を発見でき、不正使用を未然に防ぐことができる。また、不正使用者本人も、剥離させた形跡を目にすることで、不正使用を諦める場合も考えられ、抑止効果も期待できる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、前記実施例では、塑性変形を伴う線状部として開封部７を裏表に貫通するスリット部１３として説明したが、開封部が剥離される際に開封部に折れ線のような塑性変形した部分が形成されるように機能するものであればよく、例えば、溝のように完全に開封部を貫通するスリット部でなくてもよいし、押圧によるスジ押しによる溝や基材の途中まで切り込みが入っているハーフスリット、又はミシン目等でもかまわない。また、塑性変形を伴う線状部が設けられることにより開封部の強度を落とすものに限らず、反対に開封部の強度を上げ、当該線状部が設けられていない部分に力を逃して塑性変形させやすくしてもよい。
【００３４】
また、前記実施例では、スリット部１３は、開封部７の幅方向略中央部に開封部７の剥離方向に直交して所定間隔離間させて複数形成されて説明されているが、これに限らず、例えば、開封部７の幅方向の端部に形成されてもよいし、開封部７の剥離方向に対して横切る方向であれば斜めに形成されてもよいし、少なくとも開封部７に１箇所形成されていればよい。更に、スリット部の形状は、直線的な形状に限らず、例えば図９（ａ）に示されるような、開封部７の剥離方向に頂点の向く、くの字形状であってもよいし、図９（ｂ）に示されるような、波型形状等であってもよいし、図９（ｂ）に示されるように開封部７の幅方向に複数形成されてもよい。
【００３５】
また、開封部７は、シート本体２の全面に渡る大きさの被覆シート３からミシン目６により一部が切り離された状態で形成される態様に限らず、例えば、被覆シートを兼ねる開封部がシート本体に剥離可能に接着剤等で固定されるような態様であってもよい。
【００３６】
また、被覆シート３は、シート本体２と別体に限らず、例えば１枚のシートを折り畳んで、被覆シートとシート本体とを構成してもよい。
【００３７】
また、前記実施例では、開封部７が直接ＰＩＮコード４を被覆しており、開封部７の開封によりＰＩＮコード４を確認できるようになっているが、これに限らず、例えば図８（ａ）に示される変形例のように、開封部を分割して構成し、一方を開封専用部１７Ａとし、他方をＰＩＮコードに直接被覆される被覆部１７Ｂとし、開封専用部１７Ａを剥離した後、図８（ｂ）に示されるように、被覆部１７Ｂを開くことでＰＩＮコード４を確認できるような構成であってもよい。
【００３８】
また、ミシン目６の構成も線状切込１１と山型切込１２とを組み合わせた構成に限らず、例えば全て線状切込により構成されていてもよい。
【００３９】
また、開封部７を構成する素材は前述した紙素材に限らず、例えば合成樹脂等でもよい。また、開封部７は、素地に対して色差の大きい色で塗装がなされたものに限らず、例えば色の違う合成樹脂を複数枚重ねて構成されたものであってもよい。尚、前述した折れ曲がり線Ｆ等によって不正使用の疑いのあるサービス提供用シート１を発見できるため、必ずしも開封部７の素地と塗装色との間に色差の違いがないものであってもよい。
【００４０】
また、サービス提供用シート１は、インターネット上等で利用されるものに限らず、特定の人間が開封するまで固有の識別情報が隠され、その固有の識別情報を用いて、他者から何かしらのサービスの提供を受けるためのものであれば様々な分野で利用可能であり、例えば、銀行口座番号の通知書類に用いられ、配送中に口座番号が盗み見られたかどうかを判断できるようなものに利用されてもよい。
【符号の説明】
【００４１】
１                サービス提供用シート
２                シート本体
３                被覆シート
３ａ              被覆シート本体
４                ＰＩＮコード（識別情報）
５                バーコード
６                ミシン目
７                開封部
８                切抜部
９                開口部
１１，１１，…    線状切込
１２，１２，…    山型切込
１２ａ            山型切込頂点
１２ｂ，１２ｃ    山型切込の辺
１３，１３，…    スリット部
１３ａ，１３ａ    スリット部長手方向両端部
２０              余白部
７０              剥離開始端部
７１              剥離終端部
Ｆ                折り曲がり線
α                仮想線
【図１】
0006552858.tif 000002
【図２】
0006552858.tif 000003
【図３】
0006552858.tif 000004
【図４】
0006552858.tif 000005
【図５】
0006552858.tif 000006
【図６】
0006552858.tif 000007
【図７】
0006552858.tif 000008
【図８】
0006552858.tif 000009
【図９】
0006552858.tif 000010